(57)【要約】【課題】床に設けたガイド体をより的確に吸着でき、さらに吸着ガイドとガイド体が前後にずれている場合でも、ガイド体を吸着ガイドの前後中央に吸着して、円滑にガイド溝へ移行案内できる振れ止め装置を提供する。【解決手段】戸パネル２の下面のスライド溝１０の両端に吸着ガイド６を設ける。床Ｆに設けたガイドユニット７に上下揺動可能なガイドローラー４２を設ける。ガイドローラー４２の前面と後面はＮ極とＳ極に着磁する。吸着ガイド６には、ガイドローラー４２を吸着する一対の磁石１７・１７を前後に隣接して配置する。一対の磁石１７・１７は、吸着面の磁極が前後で異なるように配置する。ガイドローラー４２を両磁石１７で吸着した状態において、ガイドローラー４２の前面および後面と各磁石１７・１７とが互いに吸引し合うことで、ガイドローラー４２を吸着ガイド６の前後中央に吸着保持する。【選択図】図１
2011184995.tif 000002
【特許請求の範囲】
【請求項１】
戸パネル（２）の下面に設けたスライド溝（１０）の両端に配置される吸着ガイド（６）と、床（Ｆ）に設けたガイドユニット（７）とを備えており、
前記ガイドユニット（７）は、床（Ｆ）に埋設したガイドベース（２５）と、ガイドベース（２５）で上下出没自在に支持されるガイドローラー（４２）を含み、
前記ガイドローラー（４２）の前側面と後側面がＮ極とＳ極に着磁されており、
前記吸着ガイド（６）には、ガイドローラー（４２）を吸着する一対の磁石（１７・１７）が、前後に隣接して配置されており、
前記一対の磁石（１７・１７）は、ガイドローラー（４２）を吸着する吸着面の磁極が異なるように配置されており、
前記一対の磁石（１７・１７）でガイドローラー（４２）を吸着した状態において、ガイドローラー（４２）の前側面および後側面と各磁石（１７・１７）とが互いに吸引し合って、ガイドローラー（４２）を吸着ガイド６の前後中央に吸着保持できることを特徴とする吊戸用の振れ止め装置。
【請求項２】
戸パネル（２）の下面に、スライド溝（１０）を備えたレール体（５）が配置されており、
前記吸着ガイド（６）が、戸パネル（２）に埋設される磁石ホルダー（１５）と、一対の磁石（１７・１７）とを含み、
磁石ホルダー（１５）の前後幅が、レール体（５）の前後幅と同じか、これより小さく設定してある請求項１に記載の吊戸用の振れ止め装置。
【請求項３】
前記一対の磁石（１７・１７）が、戸パネル（２）の下面側端からスライド溝（１０）へ向かって上り傾斜する状態で配置してある請求項１または２に記載の吊戸用の振れ止め装置。
【請求項４】
前記ガイドローラー（４２）が、ガイドベース（２５）に設けた揺動アーム（４１）で上下揺動自在に支持されており、
前記ガイドローラー（４２）の少なくともローラー周面が、ゴム、エラストマー、あるいはプラスチックで形成した緩衝層４６で覆われている請求項１、２または３に記載の吊戸用の振れ止め装置。
【請求項５】
前記ガイドベース（２５）が、床（Ｆ）に埋設される固定ケース（２７）と、固定ケース（２７）に嵌め込まれる可動ケース（２８）とで構成されており、
前記固定ケース（２７）と可動ケース（２８）との間に、ガイドローラー（４２）の前後位置を調整する前後調整構造が設けられており、
前記前後調整構造が、固定ケース（２７）の内面と可動ケース（２８）の外面に設けられて、係合位置を前後に変更できる連続波形の係合リブ（３２・３７）で構成してある請求項２から４のいずれかひとつに記載の吊戸用の振れ止め装置。
【請求項６】
前記固定ケース（２７）は、円形の座部（３０）を備えており、
前記座部（３０）が、床（Ｆ）に形成した円形の組付穴（４８）に装着固定してある請求項５に記載の吊戸用の振れ止め装置。
【発明の詳細な説明】
【技術分野】
【０００１】
本発明は、戸パネルの下端が前後に振れるのを規制する吊戸用の振れ止め装置に関し、なかでも磁気吸着作用を利用して戸パネルの振れを規制する振れ止め装置に関する。
【背景技術】
【０００２】
磁石を利用した振れ止め装置は、例えば特許文献１に開示されている。そこでは、床面側に設けられるガイドユニットと、戸パネルの下端面に凹み形成されるスライド溝、およびスライド溝の溝奥に配置される鉄板などで、振れ止め装置を構成している。ガイドユニットは、床に埋設されるケースと、このケースで出没自在に案内されるガイドピンと、ガイドピンの上端に設けられる磁石などで構成してある。常態において、ガイドピンはケース内に収容されているが、戸パネルがガイドユニットの真上に来ると、磁石の磁気吸着作用によってガイドピンがケースから突出してスライド溝と係合し、戸パネルの振れを規制する。
【０００３】
特許文献２には、スライド溝の両端に吸着ガイドを設け、同ガイドでガイドピンを磁気吸着する形態の振れ止め装置が開示してある。吸着ガイドは、ホルダーと磁石とで構成してあり、ホルダーにはガイドピンをガイド溝へ向かって案内するガイド面が設けてある。戸パネルを開閉する際に、戸パネルの前後中心と、ガイドユニットの中心位置とが前後方向にずれることがあるが、こうした場合にガイドピンを吸着ガイドの磁石で確実に吸着するために、吸着ガイドの前後幅はガイド溝に比べて広幅に形成してある。また、ずれた位置で吸着したガイドピンを、スライド溝の中央へ向かって移行案内するためにホルダーにガイド面を設けている。なお、スライド溝には鉄板は配置されておらず、スライド溝に設けたレール部でガイドピンの周回溝を支持して、ガイドピンが落下するのを防止している。
【０００４】
本発明の振れ止め装置においては、ガイドユニットを、床に埋設されるケースと、ケースで上下揺動自在に支持されるローラーなどで構成するが、このようにローラー構造のガイド体で戸パネルを振れ止めすることは特許文献３に開示されている。そこでは、ガイドピンの先端に設けられる磁石を回転自在なローラーで構成している。ローラー構造の磁石は、スライド溝の両端に設けた吸着ガイドの磁石に吸着されて作動姿勢に切り換わり、ホルダーに設けた傾斜ガイド面に案内されてスライド溝と係合する。
【０００５】
上記の振れ止め装置は、いずれも床側に設けたガイドピンなどを、戸パネルに設けたスライド溝に係合して戸パネルの振れを機械的に規制するが、磁石の吸引力のみで戸パネルの振れを規制する振れ止め装置が提案されている（特許文献４）。そこでは、戸パネルの移行軌跡に臨む床面に振れ止め用の磁石を一定間隔おきに埋設し、戸パネルの下面に先の磁石に対応する磁石を埋設して、磁石どうしの吸引作用で戸パネルの振れを規制している。例えば、上面がＮ極に着磁された磁石を床面側に埋設し、下面がＳ極に着磁された磁石を戸パネル側に埋設している。両磁石が吸着するのを防ぐために、床面上を転動する戸車で戸パネルを支持して、戸パネル側の磁石と床面との間に小さな隙間を確保している。
【先行技術文献】
【特許文献】
【０００６】
【特許文献１】特許第４３０８６１８号公報（段落番号００１６、図２）
【特許文献２】特開２００７−３０８９１８号公報（段落番号００１６、図１）
【特許文献３】特許第３５０１０５３号公報（段落番号００１８、図５）
【特許文献４】特開２０００−８７６３６号公報（第４頁２２〜３９行、図５）
【発明の概要】
【発明が解決しようとする課題】
【０００７】
特許文献１、２の振れ止め装置は、ケースに退入している状態のガイドピンを吸着ガイドの磁石で吸着するが、ガイドピンをその自重に逆らって上向きに吸着する必要があるので、吸着に失敗することがある。とくに、開閉時の戸パネルは前後に揺れてずれ動きやいため、対応するガイドピンと吸着ガイドとの吸着距離が大きくなって、ガイドピンを吸着できないことがある。また、複数個の戸パネルの移行軌跡に対応して、床側に複数列のガイドユニットが設けてある場合には、前後に揺れた戸パネルに反応して、隣のユニット列のガイドピンが吸着されることもある。
【０００８】
近年、前後厚みが小さな薄型の戸パネルが普及しつつあり、それに伴ない、従前通りの吸着機能を備えたままで、振れ止め装置全体の前後厚みを小さくすることが要求されてきている。しかし、特許文献１、２の振れ止め装置では、吸着ガイドの前後幅をガイド溝に比べて広幅に形成しているので、薄型の戸パネルに適用するのが困難となる。また、薄形化要求に応えるには、吸着ガイドの前後幅を小さくする以外にないが、そうするとガイドピンの吸着に失敗しやすくなるのを避けられない。
【０００９】
特許文献３の振れ止め装置は、シーソー状に支持したガイドピンの両端に、極性が異なるローラー構造の磁石を設けるので、ガイドピンが吸着ガイドの磁石で吸着されるときの吸着負荷を軽減でき、ガイドピンをより確実に磁気吸着できる。しかし、ガイドピンの両端にローラー状の磁石を設けるので、ガイドユニットが大形化するのを避けられない。さらに、床面に横長四角形状の大きな埋設穴を形成する必要があるので、ルーターや角のみ盤などの専用機械を用意して施工する必要があり、施工に多くの手間が掛かる。また、ガイドピンが吸着ガイドの磁石で吸着される際に、ローラー状の磁石が吸着ガイド側の磁石に衝突して、耳障りな金属音を生じてしまう不利もある。
【００１０】
その点、特許文献４の振れ止め装置は、床側の磁石と戸パネル側の磁石との吸引力で戸パネルを振れ止めするので、磁石どうしが衝突して耳障りな金属音を生じることはない。しかし、磁石どうしの吸引力を超える外力が戸パネルに作用するとき、戸パネルが前後に揺れ動いてしまう点に問題がある。例えば、人が戸パネルにもたれかかるような場合に、体重を支えきれずに戸パネルが揺れ動くおそれがある。
【００１１】
本発明の目的は、床側に設けたガイドローラーをより的確に吸着でき、さらに吸着ガイドとガイドユニットが前後にずれている場合でも、ガイドローラーを吸着ガイドの前後中央に吸着して、円滑にスライド溝へ移行案内できる振れ止め装置を提供することにある。
本発明の目的は、装置全体の前後厚みを小さくして、前後厚みが小さな薄型の戸パネルに適用するのに好適な振れ止め装置を提供することにある。
本発明の目的は、磁石との衝突音の発生を防止して静粛性を向上できる振れ止め装置を提供することにある。
【課題を解決するための手段】
【００１２】
本発明に係る振れ止め装置は、戸パネル２の下面に設けたスライド溝１０の両端に配置される吸着ガイド６と、床Ｆに設けたガイドユニット７とを備えている。ガイドユニット７は、床Ｆに埋設したガイドベース２５と、ガイドベース２５で上下出没自在に支持されるガイドローラー４２を含む。ガイドローラー４２の前側面と後側面はＮ極とＳ極に着磁してある。吸着ガイド６には、ガイドローラー４２を吸着する一対の磁石１７・１７が、前後に隣接して配置されている。一対の磁石１７・１７は、ガイドローラー４２を吸着する吸着面の磁極が異なるように配置する。一対の磁石１７・１７でガイドローラー４２を吸着した状態において、ガイドローラー４２の前側面および後側面と各磁石１７・１７とが互いに吸引し合って、ガイドローラー４２を吸着ガイド６の前後中央に吸着保持できることを特徴とする。
【００１３】
戸パネル２の下面に、スライド溝１０を備えたレール体５を配置する。吸着ガイド６は、戸パネル２に埋設される磁石ホルダー１５と、一対の磁石１７・１７とを含む。図５に示すように、磁石ホルダー１５の前後幅を、レール体５の前後幅と同じか、これより小さく設定する。
【００１４】
図６に示すように、一対の磁石１７・１７は、戸パネル２の下面側端からスライド溝１０へ向かって上り傾斜する状態で配置する。
【００１５】
ガイドベース２５は、床Ｆに埋設される固定ケース２７と、固定ケース２７に嵌め込まれる可動ケース２８とで構成する。固定ケース２７と可動ケース２８との間に、ガイドローラー４２の前後位置を調整する前後調整構造を設ける。図７に示すように、前後調整構造は、固定ケース２７の内面と可動ケース２８の外面に設けられて、係合位置を前後に変更できる連続波形の係合リブ３２・３７で構成する。
【００１６】
ガイドローラー４２は、ガイドベース２５に設けた揺動アーム４１で上下揺動自在に支持する。ガイドローラー４２の少なくともローラー周面を、ゴム、エラストマー、あるいはプラスチックで形成した緩衝層４６で覆う。
【００１７】
固定ケース２７は、円形の座部３０を備えている。座部３０は、床Ｆに形成した円形の組付穴４８に装着固定する。
【発明の効果】
【００１８】
本発明においては、ガイドベース２５で支持したガイドローラー４２を、吸着ガイド６の一対の磁石１７で磁気吸着してスライド溝１０へ向かって移行案内する。ガイドローラー４２の前側面と後側面は例えばＮ極とＳ極に着磁してあり、吸着ガイド６の前側の磁石１７の吸着面はＳ極に、後側の磁石１７の吸着面はＮ極に着磁してある。このように磁極を配列した振れ止め装置によれば、ガイドローラー４２を両磁石１７で吸着した状態において、ローラー前側面と前側の磁石１７とが吸引し合い、さらに、ローラー後側面と後側の磁石１７とが吸引し合う。このとき、ローラー前側面に作用する吸引力と、ローラー後側面に作用する吸引力とは等しいので、前後の吸引力が均衡する位置、つまり吸着ガイド６前後中央へ向かって、両磁石１７とガイドローラー４２を相対移動させることができる。
【００１９】
上記のように、本発明の振れ止め装置によれば、両磁石１７とガイドローラー４２とは、お互いの吸引作用と、前後にずれがある場合の反発作用とによって、自動的に調心作用を発揮して、ガイドローラー４２を常に吸着ガイド６の前後中央に吸着し、その位置を保持できる。したがって、吸着ガイド６とガイドユニット７が前後にずれている場合でも、ガイドローラー４２を吸着ガイド６の前後中央に吸着して、吸着した状態のままで円滑にスライド溝１０へ移行案内できる。従来装置において不可欠であった、ガイド体をスライド溝へ向かって誘導案内するガイド構造を省略できるので、吸着ガイド６の構造を簡素化できる利点もある。
【００２０】
戸パネル２の下面にレール体５が配置してある振れ止め装置において、磁石ホルダー１５の前後幅をレール体５の前後幅と同じか、これより小さく設定すると、振れ止め装置の前後厚みを小さくできる。また、従来装置に比べて、吸着ガイド６の前後幅を小さくしながら、ガイドローラー４２の吸着を的確に行なうことができる。したがって、戸パネル２の前後厚みが小さな薄型の戸パネル２であっても、振れ止め装置を好適に適用できる。
【００２１】
一対の磁石１７を戸パネル２の下面側端からスライド溝１０へ向かって上り傾斜する状態で配置すると、傾斜下端における磁石１７とガイドローラー４２との上下間隔を小さくして、磁石１７によるガイドローラー４２の吸着をより確実に行なうことができる。また、作動位置に位置していたガイドローラー４２を傾斜する磁石１７で徐々に下降操作して、より低い位置で磁石１７による吸引作用を遮断できる。このように、磁石１７のガイドローラー４２に対する吸引作用の遮断をより低い位置で行なうと、ガイドローラー４２が自重で落下する距離を小さくして、待機位置へ復帰するときの衝突音を小さくでき、静粛性を向上できる。
【００２２】
ガイドローラー４２を揺動アーム４１で上下揺動自在に支持する振れ止め装置によれば、ガイドローラー４２が磁石１７で吸着されるときの同ローラー４２の移動軌跡を常に一定として、待機位置と作動位置との間で円滑に変位させることができる。したがって、ガイドローラーがガイドベースに出没スライド自在に支持してある場合に比べて、磁石１７による吸着負荷を軽減できる。また、ガイドローラー４２の少なくともローラー周面を、ゴムなどで形成した緩衝層４６で覆うと、ガイドローラー４２が吸着されて磁石１７に衝突するとき、衝突衝撃を緩衝層４６で緩和し吸収できるので、耳障りな金属音が発生するのを防止して静粛性を向上できる。
【００２３】
固定ケース２７と可動ケース２８とでガイドベース２５を構成し、両ケース２７・２８の間に前後調整構造を設けると、係合リブ３２・３７の係合位置を変更することで、可動ケース２８の前後位置を調整できる。つまり、可動ケース２８に組み付けたガイドローラー４２と吸着ガイド６の前後方向のずれを前後調整構造で修正して、両者６・４２の前後中心を一致させることができる。したがって、固定ケース２７の埋設位置にばらつきがある場合でも、複数のガイドローラー４２の前後中心を揃えて、戸パネル２を適正に開閉案内することができる。
【００２４】
固定ケース２７の座部３０を円形に形成し、座部３０を床Ｆに形成した円形の組付穴４８に装着固定すると、施工現場で組付穴４８を形成する場合に、電動ドリルを使用して容易に組付穴４８を形成することができる。因みに、床面に横長四角形状の埋設穴を形成する場合には、ルーターなどの専用装置を施工現場へ持ち込む必要があり、円形の組付穴４８を形成する場合に比べて、施工に多くの手間が掛かる。
【図面の簡単な説明】
【００２５】
【図１】本発明の振れ止め装置を示す、図４におけるＢ−Ｂ線断面図である。
【図２】吊戸の正面図である。
【図３】図２におけるＡ−Ａ線断面図である。
【図４】振れ止め装置の縦断正面図である。
【図５】吸着ガイドの底面図である。
【図６】吸着ガイドおよび縦断正面図である。
【図７】図６におけるＣ−Ｃ線断面図である。
【図８】ガイドユニットの平面図である。
【図９】磁石の磁極の着磁形態を示す説明図である。
【図１０】磁石による調心作用を示す説明図である。
【図１１】振れ止め装置の別の実施例を示す説明図である。
【発明を実施するための形態】
【００２６】
（実施例）  図１ないし図１０は本発明に係る振れ止め装置の実施例を示す。図２において、符号１は開口の上枠に固定したガイドレール、符号２はガイドレール１に沿って引き違い開閉される戸パネル、符号３は戸パネル２の上部両側に装着される吊車型のランナーである。この実施例では開口枠の開口面を２個の戸パネル２で開閉する場合について説明する。各戸パネル２は、ガイドレール１の長さの範囲内で自由に開閉移動でき、左右の戸パネル２を左端の戸袋側へ移動させると開口面を全開放できる。この実施例における前後、左右、上下とは、図２および図３に示す交差矢印と、矢印の近傍に示す前後、左右、上下の文字表示に従うこととする。
【００２７】
左右の戸パネル２を開閉するとき、戸パネル２が前後方向（厚み方向）へ揺れ動くのを規制するために、戸パネル２と床Ｆとの間に振れ止め装置を設けている。図２に示すように、振れ止め装置は、戸パネル２の下面に固定されるレール体５と、レール体５の両側に配置される吸着ガイド６と、各戸パネル２の移行軌跡に沿って床Ｆに設けられるガイドユニット７などで構成する。ガイドユニット７は、各戸パネル２ごとに５個ずつ設けてある。
【００２８】
図３および図４において、レール体５はポリプロピレン製の条材からなり、その下部に下向きに開口する断面コ字状のスライド溝１０が形成してある。スライド溝１０の上側には、溝に沿って帯状の鉄板（磁性金属板）１１が配置してあり、鉄板１１の下面はレール体５を構成する薄肉のプラスチック材で覆われている。レール体５の上部には、吸着ガイド６を連結するための連結穴１２と、減肉穴（図示していない）が長手方向に沿って形成してある。レール体５は、戸パネル２に設けた装着溝１３に吸着ガイド６と共に装着されて固定してある。
【００２９】
図５および図６に示すように吸着ガイド６は、戸パネル２に埋設される磁石ホルダー１５と、磁石ホルダー１５に埋設される鉄板（磁性金属板）１６と、鉄板１６に接着固定される一対の磁石１７・１７とで構成する。磁石ホルダー１５は、ポリプロピレンを素材とする射出成形品からなり、その下面側に鉄板１６および磁石１７・１７を装着するための凹部１８を形成し、凹部１８に隣接してビス１９用の締結穴２０を形成する。
【００３０】
図５に示すように凹部１８の前後幅は、スライド溝１０の前後幅より僅かに広幅に形成してある。この広幅の部分の前後壁は、磁石１７で吸着したガイドローラー４２がスライド溝１０側へ移行（相対的に）するまでの間、ガイドローラー４２で受け止められて、戸パネル２が前後に揺れ動くのを規制する。磁石ホルダー１５のレール体５との隣接端には、連結穴１２に差し込み係合される連結ピン２１が突設してある。鉄板１６は、鋼板にプレス加工を施して形成してあり、そのレール体５側の端部寄りが鈎形に折り曲げてある。
【００３１】
磁石１７は長方形板状のネオジウム磁石で形成してあり、各磁石１７の長辺部が吸着ガイド６の前後中心において隣接する状態で鉄板１６に固定してある。なお、吸着ガイド６の前後中心は、スライド溝１０の前後中心と一致している。鉄板１６とともに凹部１８に装着した状態の磁石１７は、戸パネル２の下面側端からスライド溝１０へ向かって上り傾斜させてある。
【００３２】
このように、磁石１７をスライド溝１０へ向かって上り傾斜させると、傾斜下端における磁石１７とガイドユニット７のガイドローラー４２との上下間隔を小さくできるので、ガイドローラー４２の吸着をより確実に行なうことができる。薄型の戸パネルにも対応できるようにするために、磁石ホルダー１５の前後幅はレール体５の前後幅と同じに設定してあり、この実施例では磁石ホルダー１５およびレール体５の前後幅を２０ｍｍとした。吸着ガイド６の連結ピン２１をレール体５の連結穴１２に係合して、左右一対の吸着ガイド６とレール体５を一体化し、一体化した三者６・５・６を装着溝１３に嵌め込んだのち、左右の吸着ガイド６をビス１９で締結することにより戸パネル２と一体化できる。
【００３３】
図６ないし図８に示すように、ガイドユニット７は、床Ｆに固定されるガイドベース２５と、ガイドベース２５で上下出没自在に支持される規制体２６とで構成する。ガイドベース２５は、床Ｆに埋設される固定ケース２７と、固定ケース２７に嵌め込まれる可動ケース２８と、両ケース２７・２８の間に設けられる前後調整構造などで構成する。固定ケース２７は円形の座部３０と、座部３０の周縁の左右に立設される一対のブラケット３１とを一体に備えたプラスチック成形品からなり、両ブラケット３１の対向面には、連続波形の係合リブ３２が上下方向に形成してある。
【００３４】
可動ケース２８は、左右に長い四角筒状のローラー収容部３５と、ローラー収容部３５の上端に張り出される横長四角形状のフランジ部３６とを一体に備えたプラスチック成形品からなる。ローラー収容部３５の左右壁の外面には、先の係合リブ３２と係合する係合リブ３７が形成してあり、左壁の内面には規制体２６を軸支するためのボス３８が形成してある。
【００３５】
前後調整構造は、固定ケース２７側の係合リブ３２と、可動ケース２８側の係合リブ３７とで構成する。後者係合リブ３７の隣接ピッチは、前者係合リブ３２の隣接ピッチの２倍に設定してあり、両係合リブ３２・３７の係合位置を前後にずらすことにより、ガイドローラー４２の前後方向の中心位置を、中央から２ｍｍずつ調整することができる。フランジ部３６の上面には、規制体２６の外郭線に沿う開口３９が形成してあり（図８参照）、この開口３９から規制体２６をローラー収容部３５に組み込むことができる。
【００３６】
規制体２６は前後一対の揺動アーム４１と、揺動アーム４１で回転自在に支持されるガイドローラー４２とで構成してある。揺動アーム４１の基端を揺動軸４３で支持することにより、ガイドローラー４２は、全体がローラー収容部３５に収容される待機位置（図６に示す状態）と、吸着ガイド６の磁石１７に吸着されてスライド溝１０に係合する作動位置（図４に示す状態）との間を揺動できる。揺動アーム４１は、ステンレス板材を素材とするプレス成形品からなる。揺動軸４３は、ローラー収容部３５の前後壁とボス３８で支持されている。
【００３７】
ガイドローラー４２は、ネオジウム磁石で形成されるローラー本体４５と、ローラー本体４５の周面を覆う緩衝層４６とで構成してあり、揺動アーム４１の揺動先端寄りに設けたローラー軸４７で回転自在に軸支してある。ガイドローラー４２のローラー周面４２ａは、その前後幅のほぼ全体にわたって平坦に形成してある（図８参照）。緩衝層４６はゴム、エラストマー、あるいはプラスチックで形成してある。このように、ローラー本体４５の周面を緩衝層４６で覆うと、ガイドローラー４２が吸着されて磁石１７に衝突するときの、衝突音（金属音）の発生を防ぐことができる。
【００３８】
ガイドユニット７は、次のようにして床Ｆに組み付ける。まず、床Ｆに固定ケース２７を埋設するための円形の組付穴４８を形成し、その内部に固定ケース２７を嵌め込んで、２個のビス４９で座部３０を固定する。このとき、揺動軸４３が戸パネル２の開閉軌跡と直交するように固定ケース２７を固定する。組付穴４８は、座部３０に対応して丸穴状に形成すればよく、したがって施工現場で電動ドリルを使用して容易に形成することができる。なお、組付穴４８の直径寸法は、戸パネル２の前後厚み寸法より小さく、例えば戸パネル２の前後厚みが３０ｍｍであるとき、組付穴４８の直径寸法は２６ｍｍとした。
【００３９】
次に、規制体２６が組み付けられた可動ケース２８を固定ケース２７に仮り組みして、戸パネル２の前後中心と、ガイドローラー４２の前後中心とが一致しているか否かを確認する。両者が前後にずれている場合には、可動ケース２８を分離したのち、ずれ量に見合う寸法分だけ係合リブ３２・３７の組み付け位置をずらして、可動ケース２８を固定ケース２７に組み付ける。再度、前後のずれがないことを確認してフランジ部３６を２個のビス５０で床Ｆに固定する。
【００４０】
上記の振れ止め装置によれば、開閉される戸パネル２がガイドユニット７の上方を通過するとき、吸着ガイド６の磁石１７とローラー本体４５とが吸引し合うので、ガイドローラー４２は図６に想像線で示すように、揺動軸４３のまわりに上方揺動して磁石１７の傾斜下端に吸着される。この状態から戸パネル２が図６の矢印Ｐ方向へ移動すると、ガイドローラー４２は磁石１７との吸着状態を維持した状態のまま転がって、スライド溝１０へと移行案内される。スライド溝１０内では、ローラー本体４５と鉄板１１との間の吸着力によって、ガイドローラー４２がスライド溝１０の上奥面に密着して係合状態を維持する（図１参照）。したがって、戸パネル２が前後に揺れ動くのを、ガイドローラー４２で規制できる。
【００４１】
戸パネル２をさらに移動操作して、ガイドローラー４２が移動方向後端側の吸着ガイド６へ移行すると、ガイドローラー４２は下り傾斜する磁石１７に案内されて徐々に下方揺動する。そして、磁石１７の傾斜下端がガイドローラー４２の周面から離れると、両者１７・４２の間に作用していた吸引力が消滅するので、ガイドローラー４２は自重で下方揺動してローラー収容部３５内に収まる。
【００４２】
上記の振れ止め装置においては、前後一対の磁石１７と、ローラー本体４５の磁極を図９に示すように設定している。まず、前側の戸パネル２に設けた吸着ガイド６の磁石１７・１７のうち、吸着ガイド６の前側に位置する磁石１７の下面（吸着面）がＳ極となり、上面がＮ極となるように磁石１７を配置する。また、吸着ガイド６の後側に位置する磁石１７の下面（吸着面）がＮ極となり、上面がＳ極となるように磁石１７を配置する。この状態の一対の磁石１７・１７は、反発し合うこともなく互いに吸引し合う。さらに、床Ｆの前側に配置したガイドユニット７のローラー本体４５は、そのローラー前側面がＮ極となり、ローラー後側面がＳ極となるように配置する。
【００４３】
後側の戸パネル２に設けた吸着ガイド６の磁石１７・１７は、前側の戸パネル２に設けた吸着ガイド６の磁石１７・１７とは極性が逆になるように配置する。同様に、床Ｆの後側に配置したガイドユニット７のローラー本体４５は、そのローラー前側面がＳ極となり、ローラー後側面がＮ極となるように配置する。このように、前側の戸パネル２と、後側の戸パネル２とで、磁石１７・１７、およびローラー本体４５の磁極の極性を異ならせておくと、例えば、前側の戸パネル２が後側のガイドユニット７の近傍まで揺れ動くことがあっても、後側のガイドユニット７のローラー本体４５と、前側の戸パネル２の吸着ガイド６とは、互いに反発し合う。したがって、後側のローラー本体４５が、前側の戸パネル２の吸着ガイド６に吸着されるのを解消できる。
【００４４】
上記のように、前後一対の磁石１７・１７の吸着面の磁極を異ならせ、さらに、ローラー本体４５の前後面の磁極が各磁石１７・１７の磁極と異ならせてあると、磁石１７・１７とローラー本体４５とが互いに吸引し合って調心機能を発揮できる。例えば、図１０に示すように、戸パネル２がガイドローラー４２に対して前方へずれ動いた状態では、ローラー本体４５のローラー後面のＳ極が、真上に位置する磁石１７のＮ極と吸引し合う。しかし、ローラー本体４５のローラー前面のＮ極は、真上に位置する磁石１７のＮ極と反発し合う。
【００４５】
その結果、戸パネル２は、吸着ガイド６の前側の磁石１７のＳ極と、ローラー本体４５の前側のＮ極とが吸引し合う向きに移動して、ガイドローラー４２を前後の磁石１７・１７で吸着する。また、一対の磁石１７に吸着されたガイドローラー４２は、ローラー前面とローラー後面における磁気吸引力が均衡する位置、すなわち、ガイドローラー４２の前後中心が、吸着ガイド６の前後中心に位置する状態に保持される。戸パネル２に外力が作用して、磁石１７とガイドローラー４２とが前後にずれたとしても、両者１７・４２は自動的に調心作用を発揮して、前後で磁気吸引力が均衡する位置へとずれ動く。
【００４６】
このように、ガイドローラー４２は、その前後中心が吸着ガイド６の前後中心に位置する状態で吸着されるので、吸着ガイド６の前後幅を大きくして戸パネル２の前後ずれに対応する必要はない。また、磁石１７・１７でガイドローラー４２を吸着するのと同時に、ガイドローラー４２をスライド溝１０へ向かって適正に移行案内できる。
【００４７】
因みに、吸着ガイド６に１個の磁石１７を配置し、その前端側をＳ極、後端側をＮ極とし、ガイドローラー４２の前面をＮ極、後面をＳ極とする場合には、一見して上記と同様の吸着作用を発揮できるように思われる。しかし、その場合には、磁石１７とガイドローラー４２との間の吸引距離が大きくなるので、ガイドローラー４２の吸着に失敗するおそれがある。また、吸着ガイド６に独立した前後一対の磁石１７を隣接配置する場合に比べて、１個の磁石１７の前後中央における磁界強度がゼロとなるため、ガイドローラー４２の吸着位置が吸着ガイド６の前後中央から前後いずれかへずれるおそれがあり、調心機能を充分に発揮できない。
【００４８】
一対の磁石１７・１７に吸着されたガイドローラー４２は、その周面が、両磁石１７・１７の吸着面に線接触状に接当している。このときの吸引力は線接触位置が最大であって、線接触位置からローラー周方向へ離れるに従い吸引力は次第に小さくなる。しかも、ガイドローラー４２の転がり方向前方の半周面の吸引力と、転がり方向後方の半周面の吸引力とは、力の方向が逆向きになっており、両吸引力は常に均衡している。したがって、線接触位置の吸引力を越える外力が作用すれば、ガイドローラー４２は転がることができることになる。この線接触位置の吸引力を越える転がり力は、例えばＮ極とＳ極とが面接触状態で吸着している場合の分離抵抗に比べて極めて小さい。したがって、ガイドローラー４２は、磁石１７・１７に吸着されているにもかかわらず、吸着面に沿って軽快に回転しながらスライド溝１０へ移行案内できる。
【００４９】
図１１は磁石１７とガイドローラー４２の別の実施例を示す。図１１（ａ）に示すガイドローラー４２は、そのローラー周面４２ａを部分円弧状に丸めて、磁石１７・１７に対して点接触状に接触するようにした。この場合のローラー本体４５は、周面が部分円弧状に丸めてあってもよく、あるいは先の実施例と同様に平坦に形成してあってもよい。後者の場合には、緩衝層４６の周面を部分円弧状に丸めるとよい。このように、ガイドローラー４２のローラー周面４２ａを磁石１７・１７に対して点接触状に接触させると、ガイドローラー４２の転がり抵抗をさらに小さくすることができる。磁石１７・１７およびガイドローラー４２における磁極は、図中にＮおよびＳで示すように配置した。以下の別実施例においても、同様に図中にＮおよびＳで示している。
【００５０】
図１１（ｂ）に示すガイドローラー４２は、ローラー周面４２ａを平坦面５２と、平坦面５２の前後に連続する傾斜面５３・５３とで等脚台形状に形成し、前後の傾斜面５３・５３を磁石１７で吸着するようにした。吸着ガイド６の磁石１７・１７は、前後の傾斜面５３・５３と同じ角度で傾けておく。スライド溝１０内へ移行したガイドローラー４２は、平坦面５２が溝の上奥面に密着する状態で鉄板１１を吸引して作動姿勢を保持するので、レール体５の鉄板１１は、先に説明した実施例と同様に配置しておけばよい。このように、磁石１７・１７をへ字状に傾けると、戸パネル２が外力を受けて前後にずれ動こうとするのを磁石１７・１７で受け止めて規制できる。さらに、吸着ガイド６でガイドローラー４２を吸着する際に、傾斜する磁石１７・１７でガイドローラー４２を中央位置へ誘い込むことができる。
【００５１】
図１１（ｃ）に示すガイドローラー４２は、ローラー本体５５に一対のリング状の磁石５６を埋設して構成した。ローラー本体５５は、ゴム、エラストマー、あるいはプラスチックを素材とする成形品からなり、先の実施例における緩衝層４６をローラー本体５５が兼ねている。磁石５６は、ローラー本体５５の成形時にインサート固定することができ、あるいは、成形後のローラー本体５５に嵌め込んで接着固定することができる。
【００５２】
上記の実施例では、スライド溝１０を備えたレール体５を戸パネル２に固定したが、その必要はない。例えば、戸パネル２の下枠がアルミニウムサッシで形成してあるような場合には、下枠の構造を利用してスライド溝１０とすることができる。吸着ガイド６における鉄板１６は省略することができる。
【００５３】
ガイドローラー４２は、上下揺動可能に支持する必要はなく、上下に出没可能に支持してあってもよい。磁石１７およびローラー本体４５を構成する磁石は、それぞれネオジウム磁石で形成するのが好ましいが、フェライト磁石などの市販されている汎用磁石を適用することができる。本発明の振れ止め装置は、１個以上の戸パネル２を備えた引戸の全てに適用できる。
【符号の説明】
【００５４】
２  戸パネル
５  レール体
６  吸着ガイド
７  ガイドユニット
１０  スライド溝
１１  磁性金属板（鉄板）
１５  磁石ホルダー
１７  磁石
２７  固定ケース
２８  可動ケース
４２  ガイドローラー
Ｆ  床
【図１】
2011184995.tif 000003
【図２】
2011184995.tif 000004
【図３】
2011184995.tif 000005
【図４】
2011184995.tif 000006
【図５】
2011184995.tif 000007
【図６】
2011184995.tif 000008
【図７】
2011184995.tif 000009
【図８】
2011184995.tif 000010
【図９】
2011184995.tif 000011
【図１０】
2011184995.tif 000012
【図１１】
2011184995.tif 000013